(57)【要約】      （修正有）【課題】倒置式チューブ状容器の機構上の利点を損なうことなく、経済的、衛生的な使用勝手の良さを共有する事ができる機構の提供。【解決手段】倒置式チューブ状容器の下脚部に位置する当該キャップの広口径底面部に、その同心円上に幾数かの流出気孔を設け、キャップ封閉時、キャップ狭深凹底部にこもる蒸水気を排出させ併せて、当該キャップ底外表面に放射状にリブを設け、そのリブの高さ方向に傾斜を持たせ、水切り効果をより高め、当該キャップ底面と倒置面とのクリアランスが設けられ、キャップ内外の還流気が起こり乾燥効率を高め、雑菌の繁殖を押え、衛生面で向上が計られる。【選択図】図２
0003128510.tif 000002
【実用新案登録請求の範囲】
【請求項１】
倒置式チューブ状容器の倒置下時脚部に位置する当該キャップの広口径底面部にその同心円状に沿って幾数かの流出気孔を設けキャップ内にこもる蒸水気を排出させるようにしたものであり、併せて当該キャップ底外表面部に中心より放射状に翼状のリブを設け、そのリブの高さに、一定方向の傾斜を持たせ、より水切り効果の増進を計ったことを特徴とする倒置チューブ状容器のキャップ構造。
【考案の詳細な説明】
【技術分野】
【０００１】本考案は、練状歯磨き剤、及び化粧品類の倒置式チューブ状容器のキャップ構造に関する
【背景技術】
【０００２】一般に歯磨き剤、化粧品は液状、粉状、練り状のものがある。
その練り状の歯磨き剤、化粧品の容器は、ポリエチレン等の柔軟な樹脂等を素材とし、チューブ状に成形された胴体部と、同質の樹脂で成形されたキャップ部で構成されている。
胴体部とキャップ部の結合は、共通の山谷形状を持つネジ式の結合と、胴体部とキャップ部の相嵌合する凸凹形状を有し、樹脂の許容される柔軟性を活用した嵌挿入式結合がある。使用する際は、目的に合った柔軟度に計られた樹脂の胴体部に、指などで外圧を加え、内容物である練り状歯磨き剤、化粧品を目的に見合う適量を、歯ブラシないし手のひら等に押し出し使用する。又、使用後は胴体部にキャップを締めて保存するのであるが、内容物が使用され残量が減ってくるにつれ、内容物がチューブ状胴体内部全体に散在し、いきおい使用時に指先等で外圧をかけても目的量に足りず、押し出し口方向に反対方向から絞りよせる様に出さなければならなかった。そこでキャップを下方に、胴体部を上方に倒置保存する構造に改良変化された。倒置保存する事によりチューブ内容物は、自ずと下方向出口近くに穏やかに集積され使用時、前途の様に絞り出す必要は軽減された。
上記の如く倒置保存可能な構造形状は、下脚部にあたるキャップ部との接地底面を広口径にし、より安定倒置が求められ、広口径キャップ形状が、一般化されてきた。
【考案の開示】
【考案が解決しようとする課題】倒置式チューブ状容器のキャップは、倒置安定の為広口径底面になっている。
しかし胴体部からの内容物押出口は、使用適量の調節し易さから小口径に設計され、倒置状態に保存されていても、チューブ胴体から内容物が流出しにくく形成されている。胴体小口径押出口と相嵌するキャップ側封入受口も、自ずと小口径にキャップ中央部に形成されている。
従って倒置安定性を計った広口径のキャップ底面部とチューブ胴体押出口との嵌合部の小口径封入受口の相反するニ要素を構成する形状となっている。
その為広口径外輪郭壁と、キャップ中央部小口径封入受口輪壁の二重輪壁が、キャップ内に構成され、外輪郭壁と中央受口輪壁との狭間に広く幅を有する深凹状底部が形成される事となる。
ここで練状歯磨き剤、化粧品の使用環境を考えるに、通常、洗面所、手洗い場及び、風呂場等で湯水の常備場所での通年、常時使用されていると考えられる。
当然高湿環境であり、使用条件に大いに考慮されるべきである。
倒置式チューブ状容器の広口径キャップの構造において、外輪郭壁と中央受口輪壁との狭間凹部の底部に、水蒸気が封じ込められ水滴となり蓄蔵され、飛沫が飛び込み水滴となり封じ込められる。又、胴体部が水又は、水蒸気で濡れる状態から側面を伝わり倒置保存状態の下脚部位キャップ内凹部に蓄累される等が起こり、折から高温、多湿環境下に置かれ、キャップ内狭凹部に雑菌からなるカビが繁殖する事となる。歯ブラシ等に付帯させ直接口腔内に塗り磨くなり、直接手の平等に受け、皮膚に塗布したりする使途の為、身体健康に大いに害を及ぼす恐れが考えられる。
そこで、本考案は上記事情に鑑み倒置式チューブ状容器の機構上の利点を損なうことなく、経済的、衛生的な使用勝手の良さを共有する事が出きる機構の提供を目的とする。
【課題を解決する為の手段】
本考案は、上記目的を達成する為になされたもので、倒置式チューブ状容器の下脚部に位置する当該キャップの広口径底面部に、その同心円上に幾数かの流出気孔を設け、キャップ内にこもる蒸水気を排出させるようにしたものであり、併せて当該キャップ底外表面に、中心部より放射状に翼状のリブを設け、そのリブの高さに方向付けされた傾斜を持たせ、より水切り効果の増進を計ったものである。。
【考案の効果】
上記の如く本考案に関わる倒置式チューブ状容器のキャップ構造によれば倒置下脚部に位置する当該キャップの広口径底面部に、同心円状に幾数かの流出気孔を設ける事により、キャップ内に飛入する飛沫や結露する水蒸気等を、キャップ外に排出させ、キャップ内外還流通気口にもなり、より早くキャップ内乾燥を促し、キャップ内の雑菌の繁殖を防ぎ、より衛生面の向上効果を高める。
併せて底外表面部に、中心部より放射状にリブを設け、そのリブの高さに一定方向の傾斜を持たせる事により、キャップ内封込水気の排出水切り方向性を導き、よりキャップ外への排出速度を高められる。
リブを広口径底面部に必要最小の高さを設ける事により、当該キャップと、倒置接面とのクリアランスを保持する事が出来、当該キャップ外流通気をよりキャップ内に導流入する事が出きる。
【考案を実施する為の最良の形態】
本考案に関わる倒置式チューブ状容器のキャップ構造の一実施例を図面に基づき説明する。
当該容器は、通常練り状化粧品及び歯磨き剤の包装容器の一種として活用されている。
図２は、当該容器の姿形組み込み図であり、キャップ部と胴体部からなっている。
Ｄ，胴体部は、ポリエチレン等の樹脂を素材とし、指等からの外圧により、一定の変形を許しながら復元反発力をも兼ね備えた柔軟度に計られている。
Ｃ，キャップ部は、同種の樹脂等が用いられ、倒置形態が保持できうる硬度が与えられて、成形されている。
キャップ部Ａと胴体部Ｂの組み込み接合は、相互共通する山谷形状を持つネジ式結合と、キャップ部Ａと胴体部Ｂが相嵌合する凸凹形状を有し、樹脂の許容される柔軟性を活用した嵌挿入式結合等により組み込まれ、倒置保存される。
この際、当該考案のキャップ図１、Ａ平面図に示す通りキャップ広口径底面部に、同心円状に幾数の流出気孔を設ける。併せて図１  Ｂ裏面図に示す通り、広口径底外表面部に、キャップ中央部より放射状にリブを設け、図１  ａ−ｂの断面図の示す通り、リブの高さ方向に傾斜を付け水切り勾配を画したものである。
以上、当該考案によりキャップ内の蒸水気の排出とキャップ内外気の還流による乾燥化とで、衛生面が向上される。
【図面の簡単な説明】
【図１】本考案に関わる倒置式チューブ状容器のキャップのＡ平面図を示しＢ裏面図を共に示したものであり、当該キャップのＡ平面図中に示すａ−ｂ断面図をも添付した。
【図２】本考案に係わる倒置式チューブ状容器の姿形を示しＤ胴体図と，Ｅキャップ図の嵌挿入組み込みを図示したものである。
【図１】
0003128510.tif 000003
【図２】
0003128510.tif 000004